(57)【要約】  眼内装置（１０）は、前面および後面（１２、１４）を有する。ハプティック（１６）は、眼内装置（１０）から延び、ハプティック（１６）の各々は、近位端が眼内装置（１０）に取り付けられた細長いループ要素（１８）を含む。細長いループ要素（１８）は、長さ、幅、および厚さを有し、長さは、湾曲した経路を辿り、幅は、眼内装置（１０）の中央前後軸（２２）に対してほぼ平行である。遠位フック部分（２４）は、細長いループ要素（１８）の遠位端から延びる。遠位フック部分（２４）は、眼内装置（１０）の中央前後軸（２２）に向かって傾けられた前縁（２６）を含む。【選択図】図１
2016521631.tif 000002
【特許請求の範囲】
【請求項１】
前面および後面（１２、１４）を有する眼内装置（１０）と、
前記眼内装置（１０）から延びるハプティック（１６）であって、前記ハプティック（１６）の各々が、近位端が前記眼内装置（１０）に取り付けられた細長いループ要素（１８）を備え、前記細長いループ要素（１８）は、長さ、幅、および厚さを有し、前記長さは、湾曲した経路を辿り、前記幅は、前記眼内装置（１０）の中央前後軸（２２）に対してほぼ平行である、ハプティック（１６）と、
前記細長いループ要素（１８）の遠位端から延びる遠位フック部分（２４）であって、前記眼内装置（１０）の前記中央前後軸（２２）に向かって傾けられた前縁（２６）を備える、遠位フック部分（２４）と、を備える、組立体。
【請求項２】
前記遠位フック部分（２４）が、前記眼内装置（１０）の前記中央前後軸（２２）から離れるように傾けられた後縁（２８）を備える、請求項１に記載の組立体。
【請求項３】
前記遠位フック部分（２４）が、その遠位先端部において丸められ、前記遠位フック部分（２４）が前記細長いループ要素（１８）から延びるところから細くなるように先細になる、請求項１に記載の組立体。
【請求項４】
前記遠位フック部分（２４）が平坦である、請求項１に記載の組立体。
【請求項５】
前記遠位フック部分（２４）が、前記細長いループ要素（１８）より細い、請求項１に記載の組立体。
【請求項６】
前記細長いループ要素（１８）の前記厚さが、前記幅より小さい、請求項１に記載の組立体。
【請求項７】
前記遠位フック部分（２４）が、中央貫通穴（３０）を備えて形成される、請求項１に記載の組立体。
【請求項８】
前記細長いループ要素（１８）の前記近位端が、前記眼内装置（１０）の外側周囲のほぼ接線方向である、請求項１に記載の組立体。
【請求項９】
前記遠位フック部分（２４）および前記細長いループ要素（１８）が、異なる剛性を有する、請求項１に記載の組立体。
【請求項１０】
前記細長いループ要素（１８）および前記眼内装置（１０）が、異なる剛性を有する、請求項１に記載の組立体。
【請求項１１】
前記遠位フック部分（２４）の最前部の表面が、前記眼内装置（１０）の最前部の表面の後方にない、請求項１に記載の組立体。
【請求項１２】
前記細長いループ要素（１８）の最前部の表面が、前記眼内装置（１０）の最前部の表面の後方にない、請求項１に記載の組立体。
【請求項１３】
前記細長いループ要素（１８）が、細長いワイヤであり、前記遠位フック部分（２４）が、前記細長いワイヤの端部から形成された丸められたひも穴である、請求項１に記載の組立体。
【請求項１４】
前記眼内装置（１０）が、ＩＯＬを備える、請求項１に記載の組立体。
【請求項１５】
前記眼内装置（１０）が、移植可能な小型望遠鏡（３２）を備える、請求項１に記載の組立体。
【発明の詳細な説明】
【技術分野】
【０００１】
本発明は、一般に、眼内レンズ（ＩＯＬ）などの眼内装置に関し、詳細にはＩＯＬなどの眼内装置用のハプティックに関する。
【背景技術】
【０００２】
ハプティックは、当技術分野において、眼球構造に接触する眼内装置の界面要素として明確に定義される（「ハプティック」は、接触のギリシャ語からのものである。）ハプティックは、通常、光学装置に取り付けられ、隣接する組織を押さえ付けることによって光学装置を眼球内で支持する、外方向に（たとえば径方向、接線方向などに）延びる構造である。
【０００３】
弾性および剛性の両方のハプティックが知られている。弾性ハプティックは、概して、プラスチックまたは任意の他の生物学的に不活性の材料で作製された弾性ワイヤであるが、圧縮力がこれにかけられたときに歪むものの潰れないまたは崩壊しないように十分硬いものである。剛性ハプティックは、圧縮力または引っ張り力の下で大きく変形せず、これらは、弾性ハプティックよりかなり硬い材料で作製されてよく、または板ハプティックなどのその形状および構造により、より剛性の大きいものでよい。
【０００４】
ハプティックは、ほとんどが、水晶体嚢内で使用されるが、ハプティックはまた、装置を水晶体嚢の外側の眼構造に固着させるために使用される。たとえば、ハプティックは、強膜内に作製された切開部である強膜切開部内に挿入されている。現在知られている固定方法は、ハプティックを眼構造に接着剤を用いて接合すること、フラップ（矩形、正方形、三角形、Ｙ形状または他の形状）を作製し、ハプティックを挿入しこれをフラップで覆い、縫合すること、またはハプティックを強膜トンネル内に挿入し固定することを含む。しかし、これらの方法は欠点を有する。たとえば、ハプティックループを強膜切開部内に挿入することは困難である。傾きおよび偏心が、固定が不十分であることによって起こり得る。ハプティックループは、眼内鉗子などの器具による操作により歪められていくことがある。
【発明の概要】
【発明が解決しようとする課題】
【０００５】
本発明は、本明細書の以下でさらに詳細に説明されるように、眼内装置用の改良されたハプティックを提供しようとするものである。
【課題を解決するための手段】
【０００６】
したがって、本発明の実施形態による組立体であって、前面および後面を有する眼内装置と、眼内装置から延びるハプティックであって、ハプティックの各々が、近位端が眼内装置に取り付けられた細長いループ要素を含み、細長いループ要素は、長さ、幅、および厚さを有し、長さは、湾曲した経路を辿り、幅は、眼内装置の中央前後軸に対してほぼ平行である、ハプティックと、細長いループ要素の遠位端から延びる遠位フック部分であって、眼内装置の中央前後軸に向かって傾けられた前縁を含む、遠位フック部分とを含む、組立体が提供される。
【０００７】
本発明の非限定的な特徴は、とりわけ以下を含む。すなわち、
遠位フック部分は、眼内装置の中央前後軸から離れるように傾けられた後縁を含む。
遠位フック部分は、その遠位先端部において丸められ、これが細長いループ要素から延びるところから細くなるように先細になる。
【０００８】
遠位フック部分は、細長いループ要素より細い。
細長いループ要素の厚さは、幅より小さい。
遠位フック部分は、貫通穴を備えて形成される。
【０００９】
細長いループ要素の近位端は、眼内装置の外側周囲のほぼ接線方向である。
遠位フック部分および細長いループ要素は、異なる剛性を有することができ；細長いループ要素および眼内装置は、異なる剛性を有することができる。
【００１０】
遠位フック部分の最前部の表面は、眼内装置の最前部の表面の後方になく；細長いループ要素の最前部の表面は、眼内装置の最前部の表面の後方にない。
本発明の実施形態によれば、眼内装置は、ＩＯＬ、強膜内固定バッグ、または移植可能な小型望遠鏡を含む。
【００１１】
本発明の実施形態によれば、ハプティックの平坦かつ傾斜したループ縁は、レンズまたは他の眼用装置を定着させ、安定化させるのに役立つ。平坦なループ外形は、強膜内の接線方向配置（すなわち強膜に対して接線方向）になるように成形されて、より良好な安定性をもたらし、レンズまたは他の眼内装置の傾きおよび偏心を防止する。遠位フック部分は、眼球内の組立体／装置の操作を容易にする。遠位ハプティック端部にあるフック付きループは、強膜内への直接的な移植をかなり容易にする。
【００１２】
本発明は、付属の図を併用して以下の詳細な説明からより完全に理解され認識されるであろう。
【図面の簡単な説明】
【００１３】
【図１】本発明の実施形態によって構築され動作する、ハプティックを備えた眼内組立体（ＩＯＬ）の簡易化された絵図である。
【図２】図２Ａは、本発明の実施形態による、前後軸に沿って見た、眼球内に移植された図１の眼内組立体の簡易化された絵図であり、ハプティックは、湾曲した強膜切開部内に固定される。図２Ｂは、前後軸に対して横断方向に見た、強膜切開部内のハプティックの簡易化された図である。
【図３】本発明の実施形態によって構築され動作する、ハプティックを備えた眼内組立体（移植可能な小型望遠鏡）の簡易化された絵図である。
【図４】本発明の別の実施形態によって構築され動作する、ハプティックを備えたＩＯＬの簡易化された絵図である。
【発明を実施するための形態】
【００１４】
次に、本発明の実施形態によって構築され動作する、眼内組立体を示す図１〜２Ｂを参照する。
組立体は、前面１２および後面１４を有する眼内装置１０を含む。この実施形態では、眼内装置１０は、（それだけに限定されないが、単焦点ＩＯＬ、多焦点ＩＯＬ、視力調節式ＩＯＬおよび他のものなどの）ＩＯＬである。ハプティック１６が、眼内装置１０から延びる。各々のハプティック１６は、近位端２０が眼内装置１０に取り付けられた細長いループ要素１８を含む。細長いループ要素１８は、長さ、幅、および厚さを有し、その長さは、湾曲した経路を辿り、その幅は、眼内装置１０の中央前後軸２２に対してほぼ平行である。ハプティック１６を備えた眼内装置１０の外径は、限定的ではないが、強膜内の適切な装着のために１５ｍｍである。
【００１５】
遠位フック部分２４が、細長いループ要素１８の遠位端から延びる。遠位フック部分２４は、眼内装置１０の中央前後軸２２に向かって傾けられた前縁２６を含む。必ずしも必要と限らないが好ましくは、遠位フック部分２４の後縁２８は、中央前後軸２２から離れるように傾けられる。必ずしも必要と限らないが好ましくは、遠位フック部分２４は平坦である。遠位フック部分２４の形状は、強膜内のその挿入場所の形状に合致することができる。遠位フック部分２４は、その遠位端部において丸められ、これが細長いループ要素１８から延びるところから細くなるように先細になる。遠位フック部分２４は、把持する、またはダイヤルする、または他の調整のために貫通穴３０を備えて形成され得る。貫通穴３０は、好ましくは、中央にあり、一方の側に偏らない。１つの実施形態では、遠位フック部分２４は、細長いループ要素１８より細くされる。１つの実施形態では、細長いループ要素１８の厚さは、その幅より小さく、他の実施形態では、これらは等しい。
【００１６】
細長いループ要素１８の近位端は、眼内装置１０の外側周囲のほぼ接線方向である。
レンズ部分または光学装置、ならびにハプティックを含む組立体の他の部分は、生体適合性かつ光学的に透明なものであり、親水性または疎水性になることができる１つまたは複数の材料から作製され得る。材料は、限定的ではないが、メタクリレート（たとえば、ポリメチルメタクリレート）、オレフィン（たとえばポリプロピレン）およびシリコーンなどの剛性または可撓性、硬質または軟質のものでよい。
【００１７】
遠位フック部分２４および細長いループ要素１８は、異なる剛性を有することができる。同様に、細長いループ要素１８および眼内装置１０も、異なる剛性を有することができる。
【００１８】
次に、図２Ａおよび２Ｂを参照する。眼内装置１０は、縁内の切開部２３を通るなどして移植される。ハプティック１６は、湾曲した強膜切開部２５内に固定され、装置１０を適切に中心に置く。
【００１９】
次に、眼内組立体が、本発明の実施形態によって構築され動作する、ハプティック１６を備えた移植可能な小型望遠鏡３２である、図３を参照する。ハプティック１６は、上記で説明された通りである。ハプティックは、同時係属中の出願において説明される強膜内固定バッグなどの他の眼内装置と共に使用され得る。
【００２０】
次に、本発明の別の実施形態によって構築され動作する、ハプティック４２を備えたＩＯＬ４０を示す図４を参照する。本発明の他の実施形態と同様に、各々のハプティック４２は、ＩＯＬ４０に取り付けられた近位端４６を備えた細長いループ要素４４と、ＩＯＬ４０の中央前後軸４７に向かって傾けられた前縁を有する遠位フック部分４８とを含む。この実施形態では、細長いループ要素４４は、細長いワイヤであり、遠位フック部分４８は、細長いワイヤの端部から曲げられたまたは別の形で形成された丸められたひも穴である。
【図１】
2016521631.tif 000003
【図２Ａ】
2016521631.tif 000004
【図２Ｂ】
2016521631.tif 000005
【図３】
2016521631.tif 000006
【図４】
2016521631.tif 000007
【国際調査報告】
2016521631.tif 000008
2016521631.tif 000009
2016521631.tif 000010